(57)【要約】      （修正有）【課題】脱ぎ終えた履物を１８０度自動反転でる安全性に優れた履物回転装置の提供。【解決手段】履物回転装置は、モータ１５を備える本体２と、本体２の内部でモータ１５により回転駆動される内側回転体１６と、この内側回転体１６の外側に同心配置した円環状の外側回転体１７と荷重の有無により下降、上昇な履物載置テーブル４と、内側回転体１６、外側回転体１７間の連結解除及び連結を行うクラッチ手段１８と、履物載置テーブル４の荷重による下降、荷重解除による上昇を各々検出し、クラッチ手段１８の動作と連動して内側回転体１６、外側回転体１７間の連結解除又は連結を行い、荷重解除時に履物載置テーブル４を連動回転させる始動・回転用通電制御手段と、履物載置テーブル４の回転角度が１８０度近傍に至ったとき、モータ１５を停止させ、履物載置テーブル４を１８０度回転位置で停止させる停止ピン４ｂ及び第２のスイッチ３６とを有する。【選択図】図３
0003116346.tif 000002
【実用新案登録請求の範囲】
【請求項１】
上部側の円形開口部が周囲の床面と同一面又は略同一面となる状態で床部に埋め込み配置され底部中心部に回転駆動源を備える本体と、
本体の内部で前記回転駆動源により回転駆動される内側回転体と、
この内側回転体の外側に同心配置した円環状の外側回転体と、
前記円形開口部内に上面が周囲の床面と同一面又は略同一面となる状態で配置されるとともに、前記外側回転体に対して回転連動可能に、かつ、荷重の有無により下降、上昇可能に配置した履物載置用の履物載置テーブルと、
内側回転体、外側回転体間の連結解除及び連結を行うクラッチ手段と、
履物載置テーブルに対する履物を介しての荷重の作用に伴う履物載置テーブルの下降を検出し、前記回転駆動源を始動させ内側回転体を回転させて、クラッチ手段の連結解除動作により外側回転体及び履物載置テーブルを非回転状態とするとともに、履物載置テーブルにおける履物上の荷重の解除に伴う履物載置テーブルの上昇を検出し回転駆動源を継続回転させ、クラッチ手段の連結動作と連動して、外側回転体及び履物載置テーブルを内側回転体と連動回転させる始動・回転用通電制御手段と、
履物載置テーブルの回転角度が１８０度近傍に至ったとき、前記回転駆動源を停止させ、履物載置テーブルを１８０度回転位置で停止させる停止スイッチ手段と、
を有することを特徴とする履物回転装置。
【請求項２】
上部側の円形開口部が周囲の床面と同一面又は略同一面となる状態で床部に埋め込み配置され底部中心部に回転駆動用のモータを備える本体と、
本体の内部で前記モータにより回転駆動される内側回転体と、
この内側回転体の外側に同心配置した円環状の外側回転体と、
前記円形開口部内に上面が周囲の床面と同一面又は略同一面となる状態で配置されるとともに、前記外側回転体に対して回転連動可能に、かつ、荷重の有無により下降、上昇可能に配置した履物載置用の履物載置テーブルと、
内側回転体、外側回転体間の連結解除及び連結をコイルバネのバネ力の作用下で行うクラッチ手段と、
履物載置テーブルに対する履物を介しての荷重の作用に伴う履物載置テーブルの下降を検出し、前記モータを始動させ内側回転体を回転させ、クラッチ手段の連結解除動作により外側回転体及び履物載置テーブルを非回転状態とするとともに、履物載置テーブルにおける履物上の荷重の解除に伴う履物載置テーブルの上昇を検出し前記モータを継続回転させ、クラッチ手段の連結動作と連動して、外側回転体及び履物載置テーブルを内側回転体と連動回転させる始動・回転用通電制御手段と、
履物載置テーブルの回転角度が１８０度近傍に至ったとき、前記モータを停止させ、履物載置テーブルを１８０度回転位置で停止させる停止スイッチ手段と、
を有することを特徴とする履物回転装置。
【請求項３】
上部側の円形開口部が周囲の床面と同一面又は略同一面となる状態で床部に埋め込み配置され底部中心部に回転駆動用のモータを備える本体と、
本体の内部で前記モータの駆動軸に中心部が連結され回転駆動される内側回転体と、
この内側回転体の外側に同心配置した円環状の外側回転体と、
前記円形開口部内に上面が周囲の床面と同一面又は略同一面となる状態で配置されるとともに、前記外側回転体に対して回転連動可能に、かつ、荷重の有無により下降、上昇可能に配置した履物載置用の履物載置テーブルと、
外側回転体に取り付けたコイルバネと、このコイルバネにより内側回転体の外周に設けた係合受部側に付勢されて係合するボールとを用いて構成され、履物載置テーブルに対する履物を介しての荷重の作用時には、内側回転体を空回りさせる連結解除状態とし、前記荷重の解除時にはコイルバネの付勢力により内側回転体と外側回転体とを連結状態とするクラッチ手段と、
履物載置テーブルに対する履物を介しての荷重の作用に伴う履物載置テーブルの下降によりオンし、荷重の解除に伴う履物載置テーブルの上昇によりオフする第１のスイッチと、この第１のスイッチのオンにより前記モータに通電し始動させ前記クラッチ手段の動作と連動して内側回転体のみを回転させるとともに、第１のスイッチのオフに伴い前記クラッチ手段の動作と連動して連結状態の内側回転体、外側回転体及び履物載置テーブルを連動回転させる電磁リレーと、を有する始動・回転用通電制御手段と、
履物載置テーブルから本体内に向けて１８０度配置で垂下した２個の停止ピンと、前記本体底部の所定の位置にスイッチ作動片を臨ませて配置され、履物載置テーブルの回転角度が１８０度近傍に至ったときに前記停止ピンがスイッチ作動片に接触することでオフ動作し、電磁リレーを消磁して前記モータへの通電を遮断し履物載置テーブルを１８０度回転位置で停止させる第２のスイッチと、を具備する停止スイッチ手段と、
を有することを特徴とする履物回転装置。
【考案の詳細な説明】
【技術分野】
【０００１】
本考案は、履物回転装置に関し、詳しくは、例えばある使用者がスリッパ、室内履等の履物を使用し終わり脱いだ後において、後続の使用者が履き易いように１８０度回転させる履物回転装置に関するものである。
【背景技術】
【０００２】
例えば、トイレの出入口においては、予め設置されているトイレ用のスリッパと、トイレ以外で使用するスリッパ等との履き替えを行うことが多い。
【０００３】
このような場合、トイレで使用されるスリッパは前回の使用者がその先端側（足指側）をトイレから外向きの状態に脱いでいることが通常であり、このため後続する使用者は手操作にてスリッパの向きを変えるか、又は自身の体を反転させて当該スリッパを履かねばならず極めて煩雑である。
【０００４】
このような不便を解決するため、従来においてもスリッパ等の履物の向きを１８０度自動回転させるように構成した履物回転装置が種々提案されている。
【０００５】
特許文献１には、箱型状の本体に対して回転可能に組み込んだ履物を載せる回転テーブルと、この回転テーブルに作用する荷重を検出する荷重用センサとを組み合わせ、荷重用センサの検出信号を基に回転テーブル上の履物の向きを１８０度自動反転させるように構成した回転式履き物台が提案されている。
【０００６】
特許文献２には、箱型状の本体に対して回転可能に組み込んだ履物を載せる回転テーブルにモータを取り付け、更に回転テーブルの回転位置を検出する回転センサと、回転テーブルに作用する荷重を検出する重荷重センサ及び軽荷重センサを設けて、これらセンサの検出信号を基に回転テーブル上の履物の向きを１８０度自動回転させるように構成した回転式履物台が提案されている。
【０００７】
特許文献３には、基台上に上下動及び回転可能に回転盤を設け、更にこの回転盤を１８０度自動回転させる自動回転手段を備えた履物の回転台が提案されている。
【０００８】
しかし、上述した特許文献１乃至３のいずれの場合においても、回転テーブルは、これらの装置が設置される箇所の床面とは同一面ではなく、床面に対して段差を有する（床面より高い）構造であり、このため、例えば足腰の弱った人が履物を履いて回転テーブル上に載ったり、履物を脱いで回転テーブルから降りたりする場合には不便であった。
【特許文献１】特開２００２−５１８９５号公報
【特許文献２】特開２００１−２５２１７４号公報
【特許文献３】特開平１０−４３０３０号公報
【考案の開示】
【考案が解決しようとする課題】
【０００９】
解決しようとする問題点は、脱ぎ終えた履物を１８０度自動反転でき、かつ足腰の弱った人が使用する場合においても何等危険なく使用でき安全性に優れた履物回転装置が存在しない点である。
【課題を解決するための手段】
【００１０】
本考案に係る履物回転装置は、上部側の円形開口部が周囲の床面と同一面又は略同一面となる状態で床部に埋め込み配置され底部中心部に回転駆動源を備える本体と、本体の内部で前記回転駆動源により回転駆動される内側回転体と、この内側回転体の外側に同心配置した円環状の外側回転体と、前記円形開口部内に上面が周囲の床面と同一面又は略同一面となる状態で配置されるとともに、前記外側回転体に対して回転連動可能に、かつ、荷重の有無により下降、上昇可能に配置した履物載置用の履物載置テーブルと、内側回転体、外側回転体間の連結解除及び連結をバネ力の作用下で行うクラッチ手段と、履物載置テーブルに対する履物を介しての荷重の作用に伴う履物載置テーブルの下降を検出し、前記回転駆動源を始動させ内側回転体を回転させて、クラッチ手段の連結解除動作により外側回転体及び履物載置テーブルを非回転状態とするとともに、履物載置テーブルにおける履物上の荷重の解除に伴う履物載置テーブルの上昇を検出し回転駆動源を継続回転させ、クラッチ手段の連結動作と連動して、外側回転体及び履物載置テーブルを内側回転体と連動回転させる始動・回転用通電制御手段と、履物載置テーブルの回転角度が１８０度近傍に至ったとき、前記回転駆動源を停止させ、履物載置テーブルを１８０度回転位置で停止させる停止スイッチ手段と、を有することを最も主要な特徴とする。
【考案の効果】
【００１１】
本考案によれば、以下の効果を奏する。
請求項１及び２記載の考案によれば、履物載置テーブル上に履物を履いた使用者が乗ることで履物載置テーブルが下降し、始動・回転用通電制御手段の動作で、その下降が検出され、回転駆動源、例えばモータが始動し、このときクラッチ手段の連結解除動作で外側回転体、履物載置テーブルは非回転となって内側回転体のみが回転し、次に、使用者が履物を脱いで履物載置テーブルから離れると、回転駆動源、例えばモータは継続回転するとともに、クラッチ手段の連結動作によって内側回転体、外側回転体間が連結状態となり、履物載置テーブルを連動回転させる。従って、履物載置テーブルの回転角度が１８０度近傍に至ったとき、停止スイッチ手段によって回転駆動源を停止させ、履物載置テーブルを１８０度回転した位置で停止させる。
【００１２】
この結果、履物載置テーブル上の履物（トイレ等におけるスリッパ）を１８０度自動回転させ、次の使用者が履き易い状態とすることができる。また、履物載置テーブルの上面が周囲の床面と同一面又は略同一面となる状態で配置されているので、足腰の弱った人が使用する場合においても何等危険なく使用でき安全性を確保でき、バリアフリーの要請に対応できる。
【００１３】
また、請求項３記載の考案によれば、回転駆動源としてモータ、クラッチ手段としてコイルバネ及びボール、始動・回転用通電制御手段として第１のスイッチ及び電磁リレー、停止スイッチ手段として停止ピン、第２のスイッチを用いた構成で上記請求項１、２記載の考案の場合と同様な効果を奏する履物回転装置を提供することができる。
【考案を実施するための最良の形態】
【００１４】
本考案は、脱ぎ終えた履物を１８０度自動反転でき、かつ足腰の弱った人が使用する場合においても何等危険なく使用でき安全性に優れた履物回転装置を提供するという目的を、上部側の円形開口部が周囲の床面と同一面又は略同一面となる状態で床部に埋め込み配置され底部中心部に回転駆動用のモータを備える本体と、本体の内部で前記モータにより回転駆動される内側回転体と、この内側回転体の外側に同心配置した円環状の外側回転体と、前記円形開口部内に上面が周囲の床面と同一面又は略同一面となる状態で配置されるとともに、前記外側回転体に対して回転連動可能に、かつ、荷重の有無により下降、上昇可能に配置した履物載置用の履物載置テーブルと、内側回転体、外側回転体間の連結解除及び連結をコイルバネのバネ力の作用下で行うクラッチ手段と、履物載置テーブルに対する履物を介しての荷重の作用に伴う履物載置テーブルの下降を検出し、前記モータを始動させ内側回転体を回転させて、クラッチ手段の連結解除動作により外側回転体及び履物載置テーブルを非回転状態とするとともに、履物載置テーブルにおける履物上の荷重の解除に伴う履物載置テーブルの上昇を検出し前記モータを継続回転させ、クラッチ手段の連結動作と連動して、外側回転体及び履物載置テーブルを内側回転体と連動回転させる始動・回転用通電制御手段と、履物載置テーブルの回転角度が１８０度近傍に至ったとき、前記モータを停止させ、履物載置テーブルを１８０度回転位置で停止させる停止スイッチ手段と、を有する構成により実現した。
【実施例】
【００１５】
以下に、本考案の実施例に係る履物回転装置１について図面を参照して詳細に説明する。
本実施例に係る履物回転装置１は、図１、図２、図３に示すように、例えばトイレの出入口等の木目調の床２等のような箇所に設置される有底円筒状に形成し本体３と、この本体３の開口部分に対して水平方向に回転可能に組み込んだ円板状で履物の一種であるスリッパ１００等を載置する上面を前記床２と同様な木目調とした履物載置テーブル４とを有している。
【００１６】
前記本体３は、円形の底板部３ａ、円筒状の側壁部３ｂ、側壁部３ｂの上端から水平外方に突設した円形の鍔部３ｃを具備し、床２に設けた穴部に側壁部３ｂ及び底板部３ａを埋め込むとともに、鍔部３ｃを穴部周辺の床面に当接させて、この本体３の開口部分を床２の床面と同一面又は略同一面となるように配置している。
前記本体３は、図３、図５に示すように、側壁部３ｂを貫いて床２の下部に設置した桟７に所要数（例えば４本）のビス６をねじ込むことで床２に固定するようになっている。また、前記本体３の側壁部３ｂの内側には、円筒状で水切り処理したカラー部材５を添設している。
【００１７】
前記本体３の内部には、図２、図３に示すように、底板部３ａ上に配置した４箇所の支柱１１により基板１２を前記底板部３ａから離隔する状態で配置している。
基板１２の中心部には、中心孔１３が設けられ、また、基板１２の四隅部からは前記履物載置テーブル４が下降した際にその下面に接触し当接支持する合計４個のスペーサ１４を垂直上方に設けている。また、前記底板部３ａの中心位置には、回転駆動源であるモータ１５を配置し、このモータ１５の駆動軸１５ａを前記中心孔１３を経て垂直上方に臨ませている。
【００１８】
前記基板１２上には、その中央部上で前記モータ１５の駆動軸１５ａに中心部が連結され回転駆動される円板状の内側回転体１６と、この内側回転体１６の外側に同心配置した円環状の外側回転体１７とを配置している。前記内側回転体１６、外側回転体１７は、クラッチ手段１８により連結又は連結解除されるようになっている。
【００１９】
すなわち、クラッチ手段１８は、図６に拡大して示すように、前記外側回転体１７の外周部からこの外側回転体１７を貫き内側回転体１６に至るように配置したコイルバネ２０と、このコイルバネ２０の他端に取り付けられ前記内側回転体１６の外周に臨ませたボール２１と、前記内側回転体１６の外周に所定の間隔を持って設けた前記ボール２１の外周球面が係合する係合受部１６ａとを具備している。このクラッチ手段１８のコイルバネ２０は、ボルト１９ａ、ナット１９ｂを用いて外側回転体１７に取り付けている。
【００２０】
従って、前記コイルバネ２０の弾力（付勢力）によりボール２１を内側回転体１６の係合受部１６ａに圧接して、外側回転体１７と内側回転体１６とを連結、すなわち、連動回転可能状態とするとともに、内側回転体１６が回転していても例えば履物載置テーブル４に外側回転体１７を介して荷重が作用しているときには、内側回転体１６の係合受部１６ａ及び外周部が前記ボール２１をコイルバネ２０の弾力に抗して外側回転体１７側に押し込み、これにより内側回転体１６のみが回転する連結解除状態になるように動作する。
【００２１】
前記外側回転体１７の上面には、更に前記履物載置テーブル４をこの外側回転体１７と連動回転させるための３個の受孔２２を例えば円周方向１２０度配置で設けている。また、前記外側回転体１７の上面には、荷重の作用により一旦降下する前記履物載置テーブル４を浮上させるための例えば３個の浮上用バネ２３を円周方向１２０度配置で各々上方に向けて設けている。
【００２２】
前記基板１２上の外周部分には、図２に示すように、この履物回転装置１の動作に必要な種々の回路部品を搭載している。すなわち、基板１２上には、例えばＡＣ１００Ｖ電源導入用の電源取付台３１、電源スイッチ３０、ヒューズ３２、コンデンサ３３、始動・回転用通電制御手段を構成する第１のスイッチ３４及び電磁リレー３５、停止スイッチ手段を構成する第２のスイッチ３６を配置している。第１のスイッチ３４、第２のスイッチ３６は各々リミットスイッチを用いている。
【００２３】
また、前記第１のスイッチ３４は常開（ノーマルオープン）型の接点ＬＳ１を具備し、前記履物載置テーブル４の下降時にその下面に接触しオンするとともに、履物載置テーブル４の浮上によりオフするようになっている。
【００２４】
前記電磁リレー３５も常開（ノーマルオープン）型の２個の接点ＲＹＳ１、ＲＹＳ２を具備し、通電によりオンし、通電解除によりオフするようになっている。
【００２５】
前記停止スイッチ手段を構成する第２のスイッチ３６は、常閉（ノーマルクローズ）型の１個の接点ＬＳ２を具備し、前記履物載置テーブル４が当初の位置から１８０度近傍まで回転した時にオフするように設定している。すなわち、停止スイッチ手段は、図７に拡大して示すように、前記基板１２上に配置した前記第２のスイッチ３６と、この第２のスイッチ３６のスイッチ作動片３６ａの近傍に自由端側を臨ませて配置するとともに固定端側を前記基板１２上に止ネジ３８及び止部材３９を用いて固定したコイルバネ状のバネ片３７と、前記履物載置テーブル４から下方に垂下され円軌跡を描いて前記バネ片３７の自由端に係合してこのバネ片３７を一旦弓なりに曲げ、履物載置テーブル４の更なる回転によりバネ片３７から外れる停止ピン４ｂとを具備している。
【００２６】
前記停止ピン４ｂがバネ片３７から外れた時、バネ片３７はそれ自体のバネ力により急激に変位し、前記第２のスイッチ３６のスイッチ作動片３６ａに当接して、これにより、第２のスイッチ３６をオフするようなっている。
【００２７】
なお、上述した各回路部品の接続構成については、後に図８を参照して詳述する。
【００２８】
図５は前記履物載置テーブル４の上面を示すものであり、その中央部に設けた凹部には、手持ち把持用のフック４０を組み込んでいる。
また、履物載置テーブル４の下面側中心部には、図３にも示すように、補助円板４１を３個の止ネジ４２を用いて取り付け、この補助円板４１に前記浮上用バネ２３の上端を受けるバネ受部４３を設けている。
前記補助円板４１の下面側には、前記外側回転体１７に設けた３個の受孔２２内に各々上下方向にスライド可能に没入し、履物載置テーブル４を外側回転体１７の回転に連動させる３個の止ピン４ａを前記３個の受孔２２と対応する配置で垂下している。
更に、図５に示すように、前記履物載置テーブル４の下面側で、その中心部から所定距離離れた位置、すなわち、前記バネ片３７の自由端に係合可能となる位置には、円周方向１８０度間隔で２個の前記停止ピン４ｂを垂下している。
なお、図１、図３において、４ｃは履物載置テーブル４の底面、外周壁面及び上面外周部を覆う履物載置テーブルカバー体である。
【００２９】
次に、上述した各回路部品及びモータ１５の接続構成について、図８に示すシーケンス制御回路図を参照して詳述する。
【００３０】
このシーケンス制御回路は、例えばＡＣ１００Ｖ電源導入用の電源取付台３１に、ヒューズ３２を直列接続するとともに、コンデンサ３３を並列接続している。
【００３１】
前記電源取付台３１に対して、電源スイッチ３０を直列接続するとともに、第１のスイッチ３４の接点ＬＳ１、第２のスイッチ３６の接点ＬＳ２、電磁リレー３５の直列回路を並列接続している。また、前記接点ＬＳ１に対して電磁リレー３５の接点ＲＹＳ１を並列接続し、自己保持回路を構成している。
【００３２】
更に、前記電源取付台３１に対して、電磁リレー３５の接点ＲＹＳ２と、前記モータ１５とを並列接続している。
【００３３】
次に、上述した構成からなる履物回転装置１の動作について図９をも参照して説明する。
【００３４】
前記電源スイッチ３０がオンとなっている状態において、両足にスリッパ１００を履いた使用者が履物回転装置１における履物載置テーブル４上に載ると、当該使用者による荷重（体重）により履物載置テーブル４はその３個の止ピン４ａが前記外側回転体１７に設けた３個の受孔２２内をスライドしつつ垂直下方に下降し、下面が合計４本の前記スペーサ１４に各々当接して止まる。
このとき、履物載置テーブル４の下面は、前記第１のスイッチ３４を作動させて、接点ＬＳ１が閉じる（オンする）。これにより、ＡＣ１００Ｖ電源から接点ＬＳ１、接点ＬＳ２を経て電磁リレー３５に通電し、電磁リレー３５が励磁されてその接点ＲＹＳ１、ＲＹＳ２が閉じる（オンする）。接点ＲＹＳ１が閉じると、電磁リレー３５を含む直列回路に自己保持回路が形成される。
【００３５】
また、電磁リレー３５の接点ＲＹＳ２が閉じると、ＡＣ１００Ｖ電源から前記モータ１５に電圧が印加され、モータ１５が始動する。これにより内側回転体１６のみが回転する。このとき使用者による荷重（体重）が履物載置テーブル４、外側回転体１７に加わっているため、クラッチ手段１８は連結解除状態となり履物載置テーブル４、外側回転体１７は回転しない。
【００３６】
以上の動作により、前記外側回転体１７及び履物載置テーブル４は、内側回転体１６と非連動状態となって、前記モータ１５により内側回転体１６のみが回転することになる。
【００３７】
次に、使用者が両足からスリッパ１００を脱ぎ、履物載置テーブル４から離れると（荷重解除）、履物載置テーブル４は、前記３個の浮上用バネ２３により垂直上方に浮上し、これにより第１のスイッチ３４を作動させ、接点ＬＳ１を開く（オフする）。前記接点ＬＳ１が開いても、電磁リレー３５を含む直列回路に自己保持回路が形成されているので、電磁リレー３５は消磁されず、このため前記モータ１５は回転を継続する。
【００３８】
以上の動作により、履物載置テーブル４はモータ１５により図９に示す矢印方向に回転駆動されることになる。
【００３９】
やがて、履物載置テーブル４の回転角度が初期位置から１８０度近傍に至った段階で、前記履物載置テーブル４の停止ピン４ｂが前記バネ片３７の自由端に係合してこのバネ片３７を一旦弓なりに曲げ、履物載置テーブル４の更なる回転によりバネ片３７から外れる。
【００４０】
前記停止ピン４ｂがバネ片３７から外れると、バネ片３７はそれ自体のバネ力により急激に変位し、前記第２のスイッチ３６のスイッチ作動片３６ａに当接して、第２のスイッチ３６の接点ＬＳ２が開く（オフする）。前記接点ＬＳ２が開くと、電磁リレー３５は通電解除状態となり、消磁して接点ＲＹＳ１、ＲＹＳ２が開く。接点ＲＹＳ２が開くと、前記モータ１５は通電解除状態となり、これにより、モータ１５は停止する。
【００４１】
以上の動作により、前記履物載置テーブル４、従ってその上のスリッパ１００を図９上欄に示す初期位置から矢印方向に１８０度回転させた図９下欄に示す位置で停止させ、後続の使用者が履き易い状態とすることができる。
【００４２】
また、前記履物載置テーブル４の上面が周囲の床面と同一面又は略同一面となる状態で配置されているので、足腰の弱った人が使用する場合においても何等危険なく使用でき安全性を確保でき、近年の住宅等におけるバリアフリーの要請にも容易に対応できる。
【産業上の利用可能性】
【００４３】
本考案は、サンダル、室内履、運動靴、革靴等各種の履物用として適用できることは勿論、適用場所としても、和室と隣接するフローリング床の洋室における和室近傍位置の床、室内からベランダへの出入部分の床、台所に設けた外部に出入するための勝手口の床等に対しても各々設置でき、広範な応用が可能である。
【図面の簡単な説明】
【００４４】
【図１】本考案の実施例に係る履物回転装置の平面図である。
【図２】本考案の実施例に係る履物回転装置において履物載置テーブルを除去した状態を示す平面図である。
【図３】本考案の実施例に係る履物回転装置の概略断面図である。
【図４】本考案の実施例に係る履物回転装置の本体を床の下部に取り付ける状態を示す概略拡大断面図である。
【図５】本考案の実施例に係る履物回転装置における履物載置テーブルの平面図である。
【図６】本考案の実施例に係る履物回転装置におけるクラッチ手段の動作説明図である。
【図７】本考案の実施例に係る履物回転装置における停止スイッチ手段の動作説明図である。
【図８】本考案の実施例に係る履物回転装置におけるシーケンス制御回路図である。
【図９】本考案の実施例に係る履物回転装置の１８０度回転動作を示す説明図である。
【符号の説明】
【００４５】
１    履物回転装置
２    床
３    本体
３ａ  底板部
３ｂ  側壁部
３ｃ  鍔部
４    履物載置テーブル
４ａ  止ピン
４ｂ  停止ピン
４ｃ  履物載置テーブルカバー体
５    カラー部材
６    ビス
７    桟
１１    支柱
１２    基板
１３    中心孔
１４    スペーサ
１５    モータ
１５ａ  駆動軸
１６    内側回転体
１６ａ  係合受部
１７    外側回転体
１８    クラッチ手段
１９ａ  ボルト
１９ｂ  ナット
２０    コイルバネ
２１    ボール
２２    受孔
２３    浮上用バネ
３１    電源取付台
３２    ヒューズ
３３    コンデンサ
３４    第１のスイッチ
３６    第２のスイッチ
３６ａ  スイッチ作動片
３７    バネ片
３８    止ネジ
３９    止部材
４０    フック
４１    補助円板
４２    止ネジ
４３    バネ受部
１００    スリッパ
【図１】
0003116346.tif 000003
【図２】
0003116346.tif 000004
【図３】
0003116346.tif 000005
【図４】
0003116346.tif 000006
【図５】
0003116346.tif 000007
【図６】
0003116346.tif 000008
【図７】
0003116346.tif 000009
【図８】
0003116346.tif 000010
【図９】
0003116346.tif 000011